(57)【要約】【課題】成型容器と、再封機能を有する蓋材とを使用し、高速充填包装機を用いて包装体を作製する方法において、優れたシール性、開封性および再封性を保有し、併せて改ざん防止機能を有した包装体のシール方法を提供する。【解決手段】成型容器と、再封機能を有する蓋材とを使用し、少なくとも２回以上のヒートシール工程を有し、フランジ部上面（Ｘ）を全部ヒートシールする工程と、フランジ部上面（Ｘ）の外縁部分（Ｚ）を除いた環状部分（Ｙ）をヒートシールする工程とを連続して行い、各シール工程が特定のシール温度条件に設定されように構成した。【選択図】図７
2019167131.tif 000002
【特許請求の範囲】
【請求項１】
開口周縁部にフランジ部を有する容器本体と、蓋材基材層（ａ）と粘着樹脂層（ｂ）とシーラント層（ｃ）とを上から順に積層させて構成された蓋材とが、フランジ部上面（Ｘ）においてヒートシールされる包装体のシール方法において、
前記フランジ部におけるフランジ部上面（Ｘ）と、前記蓋材とをヒートシールする工程を少なくとも２回以上有し、
これら少なくとも２回のシール工程が、
フランジ部上面（Ｘ）を全部押圧するように形成されたシール盤によりヒートシールする全シール工程（Ａ１）と、
フランジ部上面（Ｘ）からフランジ部外周縁部の全部または一部を除く環状部分（Ｙ）を押圧するように形成されたシール盤によりヒートシールする部分シール工程（Ｂ）とを含み、
全シール工程（Ａ１）および部分シール工程（Ｂ）とが前後に互換でき、且つ、連続して行われ、
全シール工程（Ａ１）におけるシール温度が、フランジ部上面（Ｘ）から環状部分（Ｙ）を除く外縁部分（Ｚ）において、
フランジ部上面（Ｘ）と、シーラント層（ｃ）とのシール強度が、
シーラント層（ｃ）と粘着樹脂層（ｂ）との接合強度より弱くなる〔（Ｘ-ｃ）＜（ｃ-ｂ）〕ように構成される温度であって、且つ、
部分シール工程（Ｂ）におけるシール温度が、フランジ部上面（Ｘ）の環状部分（Ｙ）において、
フランジ部上面（Ｘ）と、シーラント層（ｃ）とのシール強度が、
シーラント層（ｃ）と粘着樹脂層（ｂ）との接合強度より強くなる〔（Ｘ-ｃ）＞（ｃ-ｂ）〕ように構成される温度であることを特徴とする、包装体のシール方法。
【請求項２】
全シール工程（Ａ１）の後に連続して行われ、フランジ部上面（Ｘ）を全部押圧するように形成されたシール盤によりヒートシールする少なくとも１回以上の補助シール工程（Ａ２）を有し、
全シール工程（Ａ１）および補助シール工程（Ａ２）におけるシール温度が、フランジ部上面（Ｘ）の外縁部分（Ｚ）において、
フランジ部上面（Ｘ）と、シーラント層（ｃ）とのシール強度が、
シーラント層（ｃ）と粘着樹脂層（ｂ）との接合強度より弱くなる〔（Ｘ-ｃ）＜（ｃ-ｂ）〕ように構成される温度であることを特徴とする、請求項１記載の包装体のシール方法。
【発明の詳細な説明】
【技術分野】
【０００１】
本発明は、高速充填包装機を用いて成形される再封機能を有する包装体において、簡易な手段で改ざん防止機能を付加することができるシール方法に関する。
【背景技術】
【０００２】
食品の包装体においては、開封後一度に消費しきれないことを想定して、再封機能を有する包装体が従来より用いられている。包装体に再封機能を付加することによって、開封後の食品の吸湿や乾燥を防ぐことができ、何より消費者にとっては一度開封したものを別の容器に移し替える手間がなくなり、利便性の面において優れている。
【０００３】
このような再封機能を有する包装体は、消費者にとっては利便性が高く消費者ニーズに叶う機能であるが、一方、再封機能を有するが故に、店頭において開封され改ざんされるリスクがあり、食品メーカーや販売店においては、開封したことが明確に識別できる対策は重要かつ必須の課題であった。
【０００４】
上記課題を解決するために、特許文献１では、再封機能を有するブリスター容器において、開封時に開け口に規則的又は不規則的に連続する白濁した線条体が構成されることにより再封したことが目視により確認できる包装容器が提案されている。
また、特許文献２では、再封機能を有するピロー包装容器およびブリスター容器において、開封すると感熱粘着剤層の領域内に網点状感熱粘着剤層により形成された文字、記号、図形等が表れ再封したことが目視により確認できる包装容器が提案されている。
【先行技術文献】
【特許文献】
【０００５】
【特許文献１】特許第６０４２２３２号公報
【特許文献２】特許第４５３１５８８号公報
【０００６】
しかしながら、上記はブリスター容器における改ざん防止機能を有する再封可能な包装容器であって、ブリスター包装機は同一機械内で連続的に容器を成型しながらシール包装を行うため、包装速度が遅くヒートシール時間が十分に確保できることによって、再封機能および改ざん防止機能を付与できるものである。
一方、成型容器を使用する高速充填包装機においては、生産性を高めるため短時間でヒートシールされシール時間が十分に確保できないため、包装体に再封機能および改ざん防止機能を安定的に付与することは困難であった。
【発明の開示】
【発明が解決しようとする課題】
【０００７】
本発明の目的は、成型容器と、再封機能を有する蓋材とを使用し、高速充填包装機を用いて包装体を作製する方法において、優れたシール性、開封性および再封性を保有し、併せて改ざん防止機能を有した包装体のシール方法を提供することを目的とする。
【課題を解決するための手段】
【０００８】
本願発明者らは、前記課題を解決すべく鋭意研究を重ねた結果、フランジ部を有する容器本体と、再封機能を有する蓋材とを使用し、少なくとも２回以上のヒートシール工程を有し、前記容器本体のフランジ部の上面を全部ヒートシールする工程と、前記容器本体のフランジ部の外周縁部の全部または一部を除いてヒートシールする工程とを連続して行い、各シール工程が特定のシール温度条件に設定されることにより、再封機能および改ざん防止機能を有する包装体を作製できることを見出し、本発明の包装体のシール方法を完成するに至った。
【０００９】
さらに、上記の包装体のシール方法であって、前記容器本体のフランジ部の上面を全部ヒートシールする工程の後に連続して行う補助シール工程を設け、前記補助シール工程が前記容器本体のフランジ部の上面を全部ヒートシールすることにより、包装体の密封性を一層高め、包装体の再封機能および改ざん防止機能の双方の機能を一層確実に発揮できることを見出し、本発明を完成するに至った。
【００１０】
すなわち、本発明の方法は、以下の発明からなるものである。
［１］開口周縁部にフランジ部を有する容器本体と、蓋材基材層（ａ）と粘着樹脂層（ｂ）とシーラント層（ｃ）とを上から順に積層させて構成された蓋材とが、フランジ部上面（Ｘ）においてヒートシールされる包装体のシール方法において、前記フランジ部におけるフランジ部上面（Ｘ）と、前記蓋材とをヒートシールする工程を少なくとも２回以上有し、これら少なくとも２回のシール工程が、フランジ部上面（Ｘ）を全部押圧するように形成されたシール盤によりヒートシールする全シール工程（Ａ１）と、フランジ部上面（Ｘ）からフランジ部外周縁部の全部または一部を除く環状部分（Ｙ）を押圧するように形成されたシール盤によりヒートシールする部分シール工程（Ｂ）とを含み、全シール工程（Ａ１）および部分シール工程（Ｂ）とが前後に互換でき、且つ、連続して行われ、全シール工程（Ａ１）におけるシール温度が、フランジ部上面（Ｘ）から環状部分（Ｙ）を除く外縁部分（Ｚ）において、フランジ部上面（Ｘ）と、シーラント層（ｃ）とのシール強度が、シーラント層（ｃ）と粘着樹脂層（ｂ）との接合強度より弱くなる〔（Ｘ-ｃ）＜（ｃ-ｂ）〕ように構成される温度であって、且つ、部分シール工程（Ｂ）におけるシール温度が、フランジ部上面（Ｘ）の環状部分（Ｙ）において、フランジ部上面（Ｘ）と、シーラント層（ｃ）とのシール強度が、シーラント層（ｃ）と粘着樹脂層（ｂ）との接合強度より強くなる〔（Ｘ-ｃ）＞（ｃ-ｂ）〕ように構成される温度であることを特徴とする、包装体のシール方法に関する。
［２］全シール工程（Ａ１）の後に連続して行われ、フランジ部上面（Ｘ）を全部押圧するように形成されたシール盤によりヒートシールする少なくとも１回以上の補助シール工程（Ａ２）を有し、全シール工程（Ａ１）および補助シール工程（Ａ２）におけるシール温度が、フランジ部上面（Ｘ）の外縁部分（Ｚ）において、フランジ部上面（Ｘ）と、シーラント層（ｃ）とのシール強度が、シーラント層（ｃ）と粘着樹脂層（ｂ）との接合強度より弱くなる〔（Ｘ-ｃ）＜（ｃ-ｂ）〕ように構成される温度であることを特徴とする、［１］記載の包装体のシール方法に関する。
【発明の効果】
【００１１】
本発明によれば、前記容器本体と、再封機能を有する前記蓋材とを使用し、高速充填包装機を用いて包装体を成形する場合において、本発明の包装体のシール方法を用いることにより、優れたシール性、開封性を有し、併せて開封後の容易な再封性と改ざん防止機能を有した包装体を提供することができる。
また、本発明の方法は、包装機のシール盤に特殊な加工は要さず、既存のフラットなシール盤の外周縁部または開封口周縁の一部を削り取るだけでよく、高額な費用をかけることなく実施することができる。
【発明を実施するための形態】
【００１２】
［本発明の実施形態］
以下、本発明の実施の形態について図面を参照しながら詳細に説明する。
本発明の包装体のシール方法を適用する包装体の一例にかかり、図１、図２は、２回または３回のシール工程で構成するシール装置の概略縦断面図であり、図１は全シール工程（Ａ１）および補助シール工程（Ａ２）に用いる全面シール盤、図２は部分シール工程（Ｂ）に用いる部分シール盤、図３は包装体の斜視図、図４は包装体の分解斜視図、図５は包装体が密封された状態の概略縦断面図、図６は包装体の蓋材が一部開封した状態の概略縦断面図、図７は部分シール工程（Ｂ）において、フランジ部上面（Ｘ）のフランジ部外周縁部の全部を除いた環状部分（Ｙ）を押圧するように形成された部分シール盤を用いて成形された包装体の開封後の本体容器の斜視図、
図８は部分シール工程（Ｂ）において、フランジ部上面（Ｘ）のフランジ部外周縁部の一部を除いた環状部分（Ｙ）を押圧するように形成された部分シール盤を用いて成形された包装体の開封後の本体容器の斜視図であって、１０は全面シール盤、１１は全面シール盤の環状凸部、１２は全面シール盤の環状凸部水平面、１５は部分シール盤、１６は部分シール盤の環状凸部、１７は部分シール盤の環状凸部水平面、２０は容器本体、２１は収容部、２２はフランジ部、３０は蓋材、３５は開封口、４０はリテーナー、１００は包装体、（ａ）は蓋材基材層、（ｂ）は粘着樹脂層、（ｃ）はシーラント層、（Ｘ）はフランジ部上面、（Ｙ）は環状部分、（Ｚ）は外縁部分をそれぞれ示す。
【００１３】
［本発明の実施形態の構成］
本発明の包装体のシール方法として、全シール工程（Ａ１）および部分シール工程（Ｂ）は前後に互換できるが、ここでは全シール工程（Ａ１）の後に部分シール工程（Ｂ）を順に行う方法を用い、部分シール工程（Ｂ）が、フランジ部上面（Ｘ）のフランジ部外周縁部の全部を除いた部分からなる環状部分（Ｙ）を押圧するように構成された場合を一例とし、本発明の包装体のシール方法が適用される包装体として、図３、図４に示す、包装体１００を例に説明する。
【００１４】
この包装体１００は、収納部２１を備えた容器本体２０と、これを密封する再封機能を有する蓋材３０とで構成され、蓋材３０の外周縁部の一箇所は容器本体２０よりも大きくなるように構成され、これが包装体１００の開封口３５となる。
【００１５】
そして、容器本体２０は、外周縁部に略水平に拡がるフランジ部２２を備えており、フランジ部２２のフランジ部上面（Ｘ）が蓋材３０との接合面となる。
【００１６】
容器本体２０は、略透明または白色以外の有色であって、フランジ部上面（Ｘ）と蓋材３０とがヒートシールされ開封したときに、フランジ部上面（Ｘ）において凝集剥離による白濁痕が視認できる色であればよい。
【００１７】
容器本体２０は、合成樹脂の単層材または積層材で構成され、内容物の目的に応じて何れかを適宜使用すればよい。例えば、保存が短期間で酸化劣化が少ない場合には単層材を用いてもよく、長期保存する場合には包装体への酸素透過を防ぐために５層構造の積層材を用いてもよい。
【００１８】
本体容器２０は、例えば、単層材であれば基材層がポリプロピレン層（厚さ：９００μｍ）であってもよく、積層材であれば５層構造の積層材としては、容器外側から基材層としてポリプロピレン層（厚さ：４６０μｍ）、接着層として変性ポリプロピレン層（厚さ：２０μｍ）、ガスバリヤー層としてエチレンー酢酸ビニル共重合樹脂層（厚さ：３０μｍ）、接着層として変性ポリプロピレン層（厚さ：２０μｍ）、容器内側の基材層としてポリプロピレン層（厚さ：３７０μｍ）とが積層された合計厚さが９００μｍのものであってもよい。
【００１９】
蓋材３０は、透明または略透明であって、フランジ部上面（Ｘ）と蓋材３０とがヒートシールされ開封したときに、フランジ部上面（Ｘ）において凝集剥離による白濁痕が生じ、これが視認できる程度に透明であればよい。
【００２０】
また、蓋材３０は、図５に示すように、再封機能を有する合成樹脂の積層材であって、蓋材基材層（ａ）と粘着樹脂層（ｂ）とシーラント層（ｃ）とを、順に積層させて構成される。
【００２１】
包装体１００の開封時において、図６に示すように、蓋材３０の粘着樹脂層（ｂ）とシーラント層（ｃ）との間における層間剥離により、粘着樹脂層（ｂ）を露出させ、粘着樹脂層（ｂ）に対して容器本体２０のフランジ部上面（Ｘ）に溶着されたシーラント層（ｃ）を粘着することにより、容器本体２０と蓋材３０との再封を可能にさせるものである。
【００２２】
蓋材３０は、例えば、３層構造の合成樹脂の積層材であって、蓋材３０の上面側から蓋材基材層（ａ）としてポリエチレンテレフテレート層（厚さ：１２μｍ）、樹脂粘着層（ｂ）としてスチレン系熱可塑性エストラマー層（厚さ：２０μｍ）、シーラント層（ｃ）としてポリプロピレン系プロピレン−エチレン共重合体層（厚さ：３０μｍ）との３層が積層された合計厚さが６２μｍのものを用いることができる。
【００２３】
次に、容器本体２０は、収納部２１に内容物が充填され、フランジ部上面（Ｘ）を覆うよう蓋材３０が被せられる。
【００２４】
次に、容器本体２０のフランジ部上面（Ｘ）と蓋材３０との密封のため、本発明の包装体のシール方法が用いられ、少なくとも２回のシール工程で容器本体２０のフランジ部上面（Ｘ）と蓋材３０のシーラント層（ｃ）とがヒートシールされて溶着される。
【００２５】
この包装体のシール方法は、少なくとも２回のシール工程を備えて構成され、例えば２回のシール工程とする場合には、図１に示すように、全シール工程（Ａ１）でフランジ部上面（Ｘ）を全部押圧するように形成された全面シール盤１０を用いてヒートシールが行われる。
【００２６】
全シール工程（Ａ１）のヒートシールに用いる全面シール盤１０は、全面シール盤の環状凸部１１を備え、全面シール盤の環状凸部水平面１２はフラット状または僅かな凹凸があるいわゆるローレット状に構成され、全面シール盤の環状凸部水平面１２の全幅はフランジ部上面（Ｘ）の全幅よりわずかに広く、または略同一となるように構成されることにより、フランジ部上面（Ｘ）を隈なくヒートシールすることができる。
【００２７】
この全シール工程（Ａ１）のヒートシールによって、フランジ部上面（Ｘ）の全部において、フランジ部上面（Ｘ）と蓋材３０のシーラント層（ｃ）とが溶着され、且つ、包装体１００を開封したときに、フランジ部上面（Ｘ）の外周縁部の全部からなる外縁部分（Ｚ）において、フランジ部上面（Ｘ）と蓋材３０のシーラント層（ｃ）とのシール強度が、蓋材３０の粘着樹脂層（ｂ）とシーラント層（ｃ）との接合強度より弱くなる〔（Ｘ-ｃ）＜（ｃ-ｂ）〕ように、全シール工程（Ａ１）のシール温度が設定される。
【００２８】
上記全シール工程（Ａ１）のシール温度の設定によって、包装体１００を開封口３５から開封したときに、フランジ部上面（Ｘ）の外縁部分（Ｚ）においてフランジ部上面（Ｘ）と蓋材３０のシーラント層（ｃ）との間で凝集剥離が生じる。そして、図７に示すように、凝集剥離された箇所が白化するため、フランジ部上面（Ｘ）の外縁部分（Ｚ）に環状の白濁痕を形成することができ、再封したことが目視により確認することができる。
【００２９】
また、全シール工程（Ａ１）の後に連続して行われ、フランジ部上面（Ｘ）を全部押圧するように形成された全シール工程（Ａ１）と略同形状のシール盤を用いてヒートシールする補助シール工程（Ａ２）を追加することができる。
【００３０】
補助シール工程（Ａ２）のヒートシールに用いるシール盤は、全面シール盤の環状凸部１１と略同形状の環状凸部および環状凸部水平面を備え、その環状凸部水平面はフラット状または僅かな凹凸があるいわゆるローレット状に構成される。また、その環状凸部水平面の全幅はフランジ部上面（Ｘ）の全幅よりわずかに広く、または略同一となるように構成されることにより、フランジ部上面（Ｘ）を隈なくヒートシールすることができる。
【００３１】
補助シール工程（Ａ２）のシール温度は、全シール工程（Ａ１）および補助シール工程（Ａ２）のヒートシールによる加熱積算がある場合においても、包装体１００を開封したときに、フランジ部上面（Ｘ）の外縁部分（Ｚ）において、フランジ部上面（Ｘ）と蓋材３０のシーラント層（ｃ）とのシール強度が、蓋材３０の粘着樹脂層（ｂ）とシーラント層（ｃ）との接合強度より弱くなる〔（Ｘ-ｃ）＜（ｃ-ｂ）〕ように、特定の至適となるシール温度が設定される。
【００３２】
全シール工程（Ａ１）の後、補助シール工程（Ａ２）が連続して行われるにより、トータルのシール時間を確保することができ、フランジ部上面（Ｘ）と蓋材３０のシーラント層（ｃ）とがさらに確実に溶着され、包装体１００の密封性を一層高めることができる。
【００３３】
また、全シール工程（Ａ１）および補助シール工程（Ａ２）のヒートシール時間は、高速充填包装機の充填速度に合わせて停止可能な短時間の間、例えば０．３〜０．５秒程度の短時間でそれぞれ行われる。
【００３４】
こうして全シール工程（Ａ１）のヒートシール後に連続して行われる部分シール工程（Ｂ）のヒートシールが、図２に示すように、フランジ部上面（Ｘ）の外周縁部の全部からなる外縁部分（Ｚ）を除いた環状部分（Ｙ）を押圧するように形成された部分シール盤１５を用いて行われる。
【００３５】
部分シール工程（Ｂ）のヒートシールに用いる部分シール盤１５は、部分シール盤の環状凸部１６を備え、部分シール盤の環状凸部水平面１７の全幅が、フランジ部上面（Ｘ）の全幅より内側方向に小さくなるように、即ち、部分シール盤の環状凸部水平面１７の全幅が、全シール盤の環状凸部水平面１２の全幅より容器本体２０の内側方向に小さくなるように構成されることにより、フランジ部上面（Ｘ）の外縁部分（Ｚ）を除く環状部分（Ｙ）のみをヒートシールすることができる。
【００３６】
また、部分シール盤の環状凸部水平面１７はフラット状または下方へ向かう弧状に構成される。
【００３７】
部分シール工程（Ｂ）のヒートシール時間は、全シール工程（Ａ１）および補助シール工程（Ａ２）のヒートシール時間と同じであり、高速充填包装機の充填速度に合わせて停止可能な短時間の間、例えば０．３〜０．５秒程度の短時間で行われる。
【００３８】
部分シール工程（Ｂ）においては、部分シール工程（Ｂ）および前工程の全シール工程（Ａ１）ならびに補助シール工程（Ａ２）におけるヒートシールの加熱積算により、環状部分（Ｙ）において、フランジ部上面（Ｘ）と蓋材３０のシーラント層（ｃ）とが、外縁部分（Ｚ）と比べてより強く融着され、密封性を一層高めることができる。
【００３９】
部分シール工程（Ｂ）のシール温度は、包装体１００を開封口３５から開封したときに、フランジ部上面（Ｘ）における環状部分（Ｙ）において、フランジ部上面（Ｘ）と蓋材３０のシーラント層（ｃ）とのシール強度が、蓋材３０の粘着樹脂層（ｂ）とシーラント層（ｃ）との接合強度より強くなる〔（Ｘ-ｃ）＞（ｃ-ｂ）〕ように、特定の至適となるシール温度が設定される。
【００４０】
部分シール工程（Ｂ）のシール温度が、特定の至適シール温度に設定されることによって、包装体１００を開封したときに、始めに外縁部分（Ｚ）において、フランジ部上面（Ｘ）と蓋材３０のシーラント層（ｃ）との間で凝集剥離される。
続いて次に、環状部分（Ｙ）において、蓋材３０の粘着樹脂層（ｂ）とシーラント層（ｃ）との間で層間剥離され、これと同時に蓋材３０の粘着樹脂層（ｂ）が露出され、蓋材３０のシーラント層（ｃ）がフランジ部上面（Ｘ）の環状部分（Ｙ）に融着され移行される。
これにより包装体１００を開封後、蓋材３０の粘着樹脂層（ｂ）を、容器本体２０のフランジ部上面（Ｘ）おける環状部分（Ｙ）に融着されたシーラント層（ｃ）に粘着することにより、蓋材３０と容器本体２０の再封を可能とすることができる。
【００４１】
さらに、部分シール工程（Ｂ）の前における全シール工程（Ａ１）の後、補助シール工程（Ａ２）が連続して行われる場合においては、さらにトータルのシール時間を確保することができるため、包装体１００の密封性がさらに高められるだけでなく、包装体１００を開封したときに、蓋材３０の粘着樹脂層（ｂ）とシーラント層（ｃ）との層間剥離がより安定的に発現され、包装体１００の再封機能が確実に実施することができる。
【００４２】
［本発明の実施形態のその他の構成］
上記以外の他の構成の一例として、部分シール工程（Ｂ）のヒートシールは、フランジ部上面（Ｘ）の外周縁部の一部からなる外縁部分（Ｚ）を除いた環状部分（Ｙ）を押圧するように形成された部分シール盤１５を用いることができる。すなわち、部分シール盤１５の部分シール盤の環状凸部水平面１７は、包装体１００の開封口３５に相当する近接の一部分のみを、全シール盤の環状凸部水平面１２の全幅より小さくなるように構成することができる。  
【００４３】
この場合には、包装体１００を開封口３５から開封したときに、開封口３５に近接するフランジ部上面（Ｘ）における外縁部分（Ｚ）のみが凝集剥離され、残りの環状部分（Ｙ）は層間剥離される。
その結果、図８に示すように、容器本体２０においては開封口３５に近接するフランジ部上面（Ｘ）における外縁部分（Ｚ）のみに白濁痕が形成され、残りの環状部分（Ｙ）はフランジ部上面（Ｘ）にシーラント層（ｃ）が融着される。
【００４４】
そして蓋材３０においては、開封口３５に隣接する一部分を除いた全面に粘着樹脂層（ｂ）が露出される。
これにより容器本体２０と蓋材３０との粘着面積が広くなるため、再封したときには、容器本体２０と蓋材３０との粘着性が高まり、再封機能面を向上させることができる。
【００４５】
また、本発明の他の構成の一例として、全シール工程（Ａ１）の後に部分シール工程（Ｂ）を順に行う方法に変えて、部分シール工程（Ｂ）の後に全シール工程（Ａ１）を順に行う方法を用いることができる。
なおこの場合においても、包装体１００は再封性を有し、開封後において容器１００はフランジ部上面（Ｘ）の外縁部分（Ｚ）に白濁痕を形成することができ、再封したことが目視により確認することができ、工程を前後に互換した場合であっても同一の効果が奏せられることは言うまでもない。
【００４６】
以上、本発明の包装体のシール方法によって、包装体１００は、一度開封した後に再封することができ、且つ、再封した際に、容器本体２０のフランジ部上面（Ｘ）の外縁部分（Ｚ）に白濁痕が形成されているため、再封したことが目視により確認することができる。
【実施例】
【００４７】
総厚６００μｍの単層ポリプロピレン製の透明容器と、総厚６２μｍの３層構造の合成樹脂製の透明の蓋材とを、高速充填包装機（東洋自動機株式会社製、機種名：ＴＹ−１２Ｗ２Ｚ）を用いて包装速度４０回／分で、表１に示す条件でシール包装して包装体を作製した。
蓋材は、上面側から基材層としてポリエチレンテレフテレート層（厚さ：１２μｍ）、樹脂粘着層としてスチレン系熱可塑性エストラマー層（厚さ：２０μｍ）、シーラント層としてポリプロピレン系プロピレン−エチレン共重合体層（厚さ：３０μｍ）が３層に積層された合計厚さが６２μｍのものを用いた。
得られた包装体を開封し再封したところ、容器内周縁部において蓋材が粘着して再封性を有していた。また、容器フランジ部の外周縁部に、環状の白濁痕が形成されており、再封したことが目視により確認することができた。
【００４８】
【表１】
2019167131.tif 000003
【産業上の利用可能性】
【００４９】
以上に述べた通り、本発明の包装体のシール方法を用いることにより、成型容器と、再封機能を有する蓋材とを使用し、高速充填包装機を用いて包装体を成形する場合において、優れたシール性、開封性を有し、併せて開封後の容易な再封性と改ざん防止機能を有した包装体を提供することができる。また、本発明の方法は、包装機のシール盤に特殊な加工は要さず、既存のフラットなシール盤の外周縁部または開封口周縁の一部を削り取るだけでよく、高額な費用をかけることなく実施することができる。
【図面の簡単な説明】
【００５０】
【図１】本発明の包装体のシール方法を、２回または３回のシール工程で構成する一実施の形態に用いる包装機のシール装置の概略縦断面図にかかり、全シール工程（Ａ１）および補助シール工程（Ａ２）において用いる全面シール盤を示してある。
【図２】本発明の包装体のシール方法を、２回または３回のシール工程で構成する一実施の形態に用いる包装機のシール装置の概略縦断面図にかかり、部分シール工程（Ｂ）において用いる部分シール盤を示してある。
【図３】本発明の包装体のシール方法を適用する包装体の一例にかかる包装体の斜視図である。
【図４】本発明の包装体のシール方法を適用する包装体の一例にかかる包装体の分解斜視図である。
【図５】本発明の包装体のシール方法を適用する包装体の一例にかかる包装体が密封された状態の概略縦断面図である。
【図６】本発明の包装体のシール方法を適用する包装体の一例にかかる包装体の蓋材が一部開いた状態の概略縦断面図である。
【図７】本発明の包装体のシール方法を適用する包装体の一例にかかり、部分シール工程（Ｂ）において、フランジ部上面（Ｘ）のフランジ部外周縁部の全部を除いた環状部分（Ｙ）を押圧するように形成された部分シール盤を用いて成形された包装体の開封後の本体容器の斜視図である。
【図８】本発明の包装体のシール方法を適用する包装体の一例にかかり、部分シール工程（Ｂ）において、フランジ部上面（Ｘ）のフランジ部外周縁部の一部を除いた環状部分（Ｙ）を押圧するように形成された部分シール盤を用いて成形された包装体の開封後の本体容器の斜視図である。
【符号の説明】
【００５１】
１０    全面シール盤
１１    全面シール盤の環状凸部
１２    全面シール盤の環状凸部水平面
１５    部分シール盤
１６    部分シール盤の環状凸部
１７    部分シール盤の環状凸部水平面
２０    容器本体
２１    収容部
２２    フランジ部
３０    蓋材
３５    開封口
４０    リテーナー
１００  包装体
（ａ）  蓋材基材層
（ｂ）  粘着樹脂層
（ｃ）  シーラント層
（Ｘ）  フランジ部上面
（Ｙ）  環状部分
（Ｚ）  外縁部分
【図１】
2019167131.tif 000004
【図２】
2019167131.tif 000005
【図３】
2019167131.tif 000006
【図４】
2019167131.tif 000007
【図５】
2019167131.tif 000008
【図６】
2019167131.tif 000009
【図７】
2019167131.tif 000010
【図８】
2019167131.tif 000011